(57)【要約】【課題】ディジタルテレビ放送受信携帯端末において、受信したメールに記述されている番組情報に基づき番組を視聴することができるシステムが提案されているが、ディジタルテレビ放送受信携帯端末の所在位置によっては、放送エリアの関係で番組を視聴できない場合がある。【解決手段】ユーザーが受信したメールに記載されている番組情報の中から選択した番組の視聴可否状態に応じて、ユーザーが対応できる操作情報を選択的に提示することにより、放送時間や放送地域などを意識することなく適切な操作を簡単にすることができる。【選択図】図１
2006196953.tif 000002
【特許請求の範囲】
【請求項１】
メールを受信するメール受信部と、前記メール受信部が受信した番組情報メールの中からユーザーが選択した番組の番組情報を取得する番組情報解析部と、前記番組情報解析部が取得した前記ユーザーが選択した番組が視聴可能か否かを判定する視聴可否判定部と、受信した放送画像やメール情報などを表示する表示部と、受信した放送音声などを再生するスピーカを備えたディジタルテレビ放送携帯受信機であって、前記視聴可否判定部が、前記番組情報解析部が取得した前記ユーザーが選択した番組が視聴不可能であると判定した場合に、該判定結果をユーザーに通知する通知手段を備えたことを特徴とするディジタルテレビ放送携帯受信機。
【請求項２】
前記通知手段は、前記表示部へのメッセージ表示であることを特徴とする請求項１に記載のディジタルテレビ放送携帯受信機。
【請求項３】
前記通知手段は、前記スピーカから出力する音声メッセージであることを特徴とする請求項１に記載のディジタルテレビ放送携帯受信機。
【請求項４】
メールを受信するメール受信部と、前記メール受信部が受信した番組情報メールの中からユーザーが選択した番組の番組情報を取得する番組情報解析部と、前記番組情報解析部が取得した前記ユーザーが選択した番組が視聴可能か否かを判断する視聴可否判定部を備えたディジタルテレビ放送携帯受信機であって、前記視聴可否判定部が、前記番組情報解析部が取得した前記ユーザーが選択した番組が視聴可能であり、かつ放送中ではないと判定した場合に、ユーザーに対し、前記番組情報解析部が取得した前記ユーザーが選択した番組の番組情報に関する放送情報を通知する通知手段を備えたことを特徴とするディジタルテレビ放送携帯受信機。
【請求項５】
前記放送情報は、少なくとも放送時刻および放送チャンネル番号を含むことを特徴とする請求項４に記載のディジタルテレビ放送携帯受信機。
【請求項６】
メールを受信するメール受信部と、前記メール受信部が受信した番組情報メールの中からユーザーが選択した番組の番組情報を取得する番組情報解析部と、前記番組情報解析部が取得した前記ユーザーが選択した番組が視聴可能か否かを判定する視聴可否判定部を備えたディジタルテレビ放送携帯受信機であって、前記番組情報解析部において取得した前記ユーザーが選択した番組の、前記視聴可否判定部における視聴可否の判定結果によって、ユーザーに対し、前記番組情報解析部において取得した前記ユーザーが選択した番組に対して操作が可能な操作メニューを選択的に提示することを特徴とするディジタルテレビ放送携帯受信機。
【発明の詳細な説明】
【技術分野】
【０００１】
本発明は、ディジタルテレビ放送携帯受信機に係る発明であって、特に、メールを受信する機能を有し、受信したメールに記載されているディジタルテレビ放送の番組情報の中で、ユーザーが視聴を希望する番組（当該番組）がある場合、その当該番組が視聴できる番組であるか、あるいは視聴できない番組であるかに応じて、簡単に適切な操作ができるディジタルテレビ放送携帯受信機に関するものである。
【背景技術】
【０００２】
近年、テレビ放送は、従来のアナログテレビ放送からテレビ放送信号をディジタル化したディジタルテレビ放送に徐々に置き換わりつつあり、現在日本においては、放送衛星を利用した衛星ディジタルテレビ放送が普及しつつあるのに加え、地上波ディジタルテレビ放送も一部の地域からではあるが開始された。この地上波ディジタルテレビ放送においては、据置型のディジタルテレビ放送受信機で受信する固定受信以外に、携帯型のディジタルテレビ放送受信機などで移動中でも受信できる携帯受信の用途が広がることが予想される。
【０００３】
なお、携帯型の地上波ディジタルテレビ放送受信機において、携帯電話機との機能的な融合が予想され、現在および将来にわたって携帯電話機が保有するメール機能やインターネット接続機能などの機能が付加されることは十分に予測されることである。したがって、携帯型の地上波ディジタルテレビ放送受信機が、ディジタルテレビ放送番組に関する情報が記載された番組情報メールを受信する機能を持つようになるのは、自然の成り行きであると思われる。
【０００４】
上記のように、ディジタルテレビ放送番組の番組情報メールを受信する機能を有し、ディジタルテレビ放送番組に関する情報が記載された番組情報メールを受信した場合、その受信した番組情報を記憶、管理し、視聴を希望する番組の放送時間に合わせて視聴を開始できるようにしたディジタルテレビ放送携帯受信機に関する技術が特許文献１に開示されている。
【特許文献１】特開２００３−３０９７３４号公報
【発明の開示】
【発明が解決しようとする課題】
【０００５】
しかしながら、地上波ディジタルテレビ放送は、地域（放送エリア）毎に放送番組が異なることに加え、ユーザーは移動しながらディジタルテレビ放送携帯受信機を使用することが予想されるので、ユーザーは、受信したメールに記載されているディジタルテレビ放送番組の番組情報の中から視聴を希望する番組を選び、その選んだ番組を携帯するディジタルテレビ放送携帯受信機で視聴しようとしても、必ずしも視聴することができるとは限らない。
【０００６】
本発明の目的は、ユーザーが受信したメールに記載されているディジタルテレビ放送番組の番組情報の中から選んだ視聴を希望する番組（当該番組）が、携帯するディジタルテレビ放送携帯受信機で視聴することができない状態にある場合は、その旨をユーザーに通知する手段を設けることにより、視聴することができないにも関わらず当該番組を選局したりするなどの、不要な操作をせずに済ますことができるディジタルテレビ放送携帯受信機を提供することである。
【０００７】
また、本発明の更なる目的は、ユーザーが受信したメールに記載されているディジタルテレビ放送番組の番組情報の中から選んだ視聴を希望する番組（当該番組）が、携帯するディジタルテレビ放送携帯受信機で視聴することができない状態にある場合において、視聴することができない理由が、「視聴可能であるが現在放送中でないため」という理由である場合は、当該番組の放送時刻および放送チャンネルをユーザーに通知することにより、視聴予約などの操作を簡単に行い、当該番組を視聴できるようにすることができるディジタルテレビ放送携帯受信機を提供することである。
【０００８】
また、本発明の更なる目的は、ユーザーが受信したメールに記載されているディジタルテレビ放送番組の番組情報の中から選んだ視聴を希望する番組（当該番組）の視聴可否状態を判定し、その判定結果に応じてユーザーが対応可能な操作の操作メニューを選択的に提示することにより、ユーザーが放送時間や放送地域などを意識することなく、簡単に適切な操作をすることができるインターフェイスを有するディジタルテレビ放送携帯受信機を提供することである。
【課題を解決するための手段】
【０００９】
上記目的を達成するために、第１の本発明（請求項１）は、
メールを受信するメール受信部と、前記メール受信部が受信した番組情報メールの中からユーザーが選択した番組の番組情報を取得する番組情報解析部と、前記番組情報解析部が取得した前記ユーザーが選択した番組が視聴可能か否かを判定する視聴可否判定部と、受信した放送画像やメール情報などを表示する表示部と、受信した放送音声などを再生するスピーカを備えたディジタルテレビ放送携帯受信機であって、前記視聴可否判定部が、前記番組情報解析部が取得した前記ユーザーが選択した番組が視聴不可能であると判定した場合に、該判定結果をユーザーに通知する通知手段を備えたことを特徴とするディジタルテレビ放送携帯受信機である。
【００１０】
第２の発明（請求項４）は、
メールを受信するメール受信部と、前記メール受信部が受信した番組情報メールの中からユーザーが選択した番組の番組情報を取得する番組情報解析部と、前記番組情報解析部が取得した前記ユーザーが選択した番組が視聴可能か否かを判断する視聴可否判定部を備えたディジタルテレビ放送携帯受信機であって、前記視聴可否判定部が、前記番組情報解析部が取得した前記ユーザーが選択した番組が視聴可能であり、かつ放送中ではないと判定した場合に、ユーザーに対し、前記番組情報解析部が取得した前記ユーザーが選択した番組の番組情報に関する放送情報を通知する通知手段を備えたことを特徴とするディジタルテレビ放送携帯受信機である。
【００１１】
第３の発明（請求項６）は、
メールを受信するメール受信部と、前記メール受信部が受信した番組情報メールの中からユーザーが選択した番組の番組情報を取得する番組情報解析部と、前記番組情報解析部が取得した前記ユーザーが選択した番組が視聴可能か否かを判定する視聴可否判定部を備えたディジタルテレビ放送携帯受信機であって、前記番組情報解析部において取得した前記ユーザーが選択した番組の、前記視聴可否判定部における視聴可否の判定結果によって、ユーザーに対し、前記番組情報解析部において取得した前記ユーザーが選択した番組に対して操作が可能な操作メニューを選択的に提示することを特徴とするディジタルテレビ放送携帯受信機である。
【発明の効果】
【００１２】
本発明のディジタルテレビ放送携帯受信機は、上記構成を有し、ユーザーが受信したメールに記載されているディジタルテレビ放送番組の番組情報の中から選んだ視聴を希望する番組（当該番組）が、携帯するディジタルテレビ放送携帯受信機で視聴することができない状態にある場合は、その旨をユーザーに通知する手段を設けることにより、視聴することができないにも関わらず当該番組を選局したりするなどの、不要な操作をせずに済ますことができる。
【００１３】
また、本発明のディジタルテレビ放送携帯受信機は、上記構成を有し、ユーザーが受信したメールに記載されているディジタルテレビ放送番組の番組情報の中から選んだ視聴を希望する番組（当該番組）が、携帯するディジタルテレビ放送携帯受信機で視聴することができない状態にある場合において、視聴することができない理由が、「視聴可能であるが現在放送中でないため」という理由である場合は、当該番組の放送時刻および放送チャンネルをユーザーに通知することにより、視聴予約などの操作を簡単に行い、当該番組を視聴できるようにすることができる。
【００１４】
さらに、本発明のディジタルテレビ放送携帯受信機は、上記構成を有し、ユーザーが受信したメールに記載されているディジタルテレビ放送番組の番組情報の中から選んだ視聴を希望する番組（当該番組）の視聴可否状態を判定し、その判定結果に応じてユーザーが対応可能な操作の操作メニューを選択的に提示することにより、ユーザーが放送時間や放送地域などを意識することなく、適切な操作を簡単にすることができる。
【発明を実施するための最良の形態】
【００１５】
以下、本発明の実施の形態を、図面を参照しながら説明する。
【００１６】
（実施の形態１）
図１は、本発明の実施の形態１における、ディジタルテレビ放送携帯受信機の構成を示すブロック図である。
【００１７】
図１において、ディジタルテレビ放送携帯受信機１ａは、ディジタルテレビ放送受信部１１、番組情報記憶部１２、メール受信部１３、番組情報解析部１４、視聴可否判定部１５、表示部１６、ディジタルテレビ放送受信機１ｃ制御部１７、通信部１８、メッセージ生成部１９、およびスピーカ２０を備えている。メール作成装置１ｂは、一般的なメールの送受信機能に加え、ディジタルテレビ放送の番組情報を受信し、その受信した番組情報が記載された番組情報メールを送信する機能を備えている。また、ディジタルテレビ放送受信機１ｃは、少なくともディジタルテレビ放送を受信、録画する機能と、ディジタルテレビ放送携帯受信機１ａとの通信機能とを備えている。
【００１８】
ディジタルテレビ放送携帯受信機１ａにおいて、ディジタルテレビ放送受信部１１は、ディジタルテレビ放送局１ｄから送信されるディジタルテレビ放送コンテンツから番組情報を取得し、その取得した番組情報を番組情報記憶部１２に保存する。メール受信部１３は、メール作成装置１ｂが送信した番組情報が記載された番組情報メールを受信する。番組情報解析部１４は、メール受信部１３が受信した番組情報メールの中から視聴を希望する番組として、あるいは必要な番組として選択した番組（当該番組）の番組情報を取得し、視聴可否判定部１５に送信する。視聴可否判定部１５は、番組情報記憶部１２が保持する番組情報と、番組情報解析部１４から取得した番組情報を基に、当該番組が視聴可能であるか否かを判断する。表示部１６は、ディジタルテレビ放送受信部１１で受信したディジタルテレビ放送の画像を表示するだけでなく、視聴が可能であるか否かの判断結果や操作メニューなどを表示する。メッセージ生成部１９は、表示部１６において表示されるメッセージを生成する。ディジタルテレビ放送受信機１ｃ制御部１７は、通信部１８を介して番組情報解析部１４が取得した番組情報や録画を要求する信号などをディジタルテレビ放送受信機１ｃへ送信する。スピーカ２０は、ディジタルテレビ放送受信部１１で受信したディジタルテレビ放送の音声等を再生するもので、ヘッドホンタイプのものであってもよい。
【００１９】
次に、本発明の実施の形態１におけるディジタルテレビ放送携帯受信機１ａにおいて、実行される動作のフローチャートを示した図２を参照しながら、ディジタルテレビ放送携帯受信機１ａが、メール作成装置１ｂが送信した番組情報メールを受信し、受信した番組情報メールに記述されている番組情報の中から選択した番組（当該番組）が、視聴可能であるか否かの判定結果を通知する動作について説明する。
【００２０】
図２において、ディジタルテレビ放送携帯受信機１ａのメール受信部１３は、メール作成装置１ｂが送信した番組情報メールを受信し、その受信した番組情報を番組情報解析部１４に送信する（ステップＳ１１）。番組情報解析部１４は、受信した番組情報を解析して番組情報の中から視聴を希望する番組として、あるいは必要な番組としてユーザーが選択した番組（当該番組）の番組情報を取得し、その取得した当該番組の番組情報を視聴可否判定部１５に送信する（ステップＳ１２）。  視聴可否判定部１５は、番組情報記憶部１２が保持する番組情報と、番組情報解析部１４から送信された番組情報を基に、当該番組が視聴可能であるか否かを判定する（ステップＳ１３）。視聴不可と判定された場合、視聴可否判定部１５は、メッセージ生成部１９に指示して番組情報解析部１４から取得した番組情報を基に番組情報の定型メッセージを作成させ、その定型メッセージを表示部１６へ表示させる（ステップＳ１４）。併せて、視聴可否判定部１５は、メッセージ生成部１９に指示して視聴が不可であることを示すメッセージを作成させ、そのメッセージを表示部１６に表示させる（ステップＳ１５）。一方、ステップＳ１３において視聴が可能と判断された場合、視聴可否判定部１５は、番組情報解析部１４から取得した番組情報からユーザーが選択した番組（当該番組）の放送時間や放送チャンネルなどの情報を取得し、取得した放送時間および放送チャンネルから、当該番組が現在放送中であるか否かの判定を行う（ステップＳ１６）。ステップＳ１６において、放送中でないと判定された場合、視聴可否判定部１５は、番組情報記憶部１２が記憶している番組情報から当該番組と一致する番組情報を検索し、その検索した番組情報の中の放送時間や放送チャンネルなどの情報を取得し、その取得した情報をメッセージ生成部１９に送信し、これらの情報に関連するメッセージを生成させ、そのメッセージを表示部１６に表示させる（ステップＳ１７）。また、ステップＳ１６において、放送中であると判定された場合、視聴可否判定部１５は、メッセージ生成部１９に指示して視聴可能を表すメッセージを生成させ、表示部１６に表示させるか、あるいはディジタルテレビ放送携帯受信機１ａを自動的に視聴が開始できる状態に移行させる（ステップＳ１８）。
【００２１】
なお、ステップＳ１５、ステップＳ１６およびステップＳ１８において、メッセージ生成部１９で生成した文字あるいは画像メッセージを表示部１６に表示する代わりに、メッセージ生成部１９で音声メッセージを生成し、この音声メッセージをスピーカ２０より出力してもよい。また、メッセージを表示部１６に表示するか、あるいは／およびスピーカから音声出力するかは、ユーザーが選択できるようにしてもよい。
【００２２】
また、より分かりやすい表示メッセージを生成するために、メッセージ生成部１９において、表示するメッセージを生成する際に、メッセージの種類や内容などにより、文字サイズや色を変えるなどの処理を行ってもよい。
【００２３】
また、ステップＳ１３およびステップＳ１７において使用する番組情報は、より最新の番組情報を使用できるようにするため、処理の度にディジタルテレビ放送受信部１１より取得するようにしてもよい。
【００２４】
また、上記実施の形態では、視聴可否判定部１５が、メッセージ生成部１９に指示してメッセージを生成させ、そのメッセージを表示部１６に表示させる構成について説明したが、ディジタルテレビ放送携帯受信機１ａが内蔵するマイクロコンピュータ（図示せず）が、メッセージ生成部１９に指示してメッセージを生成させ、そのメッセージを表示部１６に表示させるように構成してもよい。
【００２５】
次に、本発明の実施の形態１におけるディジタルテレビ放送携帯受信機１ａにおいて受信した番組情報メールや、内部で生成されたメッセージが表示された表示画面の一例を示す図３および図４を参照しながら、メール受信部１３で受信した番組情報メールやメッセージ生成部１９で生成されたメッセージが、表示部１６においてどのように表示されるかを説明する。
【００２６】
図３に示す表示例において、表示領域Ａ１１には、受信した番組情報メールに記述されているメッセージが表示され、表示領域Ａ１２には、ステップＳ１４において、視聴可否判定部１５が番組情報解析部１４から取得した番組情報を基にメッセージ生成部１９で作成させた定型メッセージが表示され、さらに、表示領域Ａ１３には、ステップＳ１５において、視聴可否判定部１５がメッセージ生成部１９に指示して作成させた「視聴不可」などのユーザーへの通知メッセージが表示される。
【００２７】
また、図４に示す表示例において、表示領域Ａ２１には、受信した番組情報メールに記述されているメッセージが表示され、表示領域Ａ２２には、ステップＳ１７において、メッセージ生成部１９が生成した当該番組の番組情報に関連する放送時間や放送チャンネルなどのメッセージが表示され、さらに、表示領域Ａ２３には、受信した番組情報メールの中の当該番組に対して実行可能な操作メニューが表示される。
【００２８】
なお、図３および図４は表示の一例を示したものであり、表示の仕方については、上記の表示例に限らずいろいろなバリエーションが考えられることは当然である。
【００２９】
次に、視聴可否判定部１５が、当該番組を視聴可能であるか否かを判定する方法について、２通りの具体例を挙げて説明する。
【００３０】
その前に、図５を参照しながら、ディジタルテレビ放送携帯受信機１ａにおけるディジタルテレビ放送受信部１１の構成について説明する。
【００３１】
図５は、ディジタルテレビ放送携帯受信機１ａにおけるディジタルテレビ放送受信部１１の構成を示すブロック図である。
【００３２】
図５において、ディジタルテレビ放送受信チューナ１１１は、ディジタルテレビ放送局１ｄから送信されるＴＳ（Ｔｒａｎｓｐｏｒｔ  Ｓｔｒｅａｍ）と呼ばれる信号を受信する。ここで、ＴＳ信号とは、映像および音声などのデータが多重化された信号のことである。ディジタルテレビ放送受信チューナ１１１にて受信されたＴＳ信号は、ＴＳデコーダ１１２において、音声ＰＥＳ（Ｐａｃｋｅｔｅｄ  Ｅｌｅｍｅｎｔａｒｙ  Ｓｔｒｅａｍ）１１３、映像ＰＥＳ１１４、データセクション１１５、ＰＳＩ（番組特定情報）１１６、およびＳＩ（Ｓｅｒｖｉｃｅ  Ｉｎｆｏｒｍａｔｉｏｎ）１１７に分離される。ここで、ＰＥＳとは、タイムスタンプ情報を有し、時刻同期をとりながら映像、音声、文字などを再生することが可能なデータ形式の一つである。ＳＩ１１７は、番組配列情報と呼ばれ、番組に関する情報（チャンネルの名称、放送事業者名、番組のタイトル、放送日時、番組内容、地域識別情報など）が含まれている。音声ＰＥＳ１１３において再生された音声データはスピーカ２０に出力される。映像ＰＥＳ１１４、データセクション１１５、ＰＳＩ１１６、およびＳＩ１１７においてそれぞれ再生された映像および文字情報などは、表示部１６でディジタルテレビ放送受信画面として表示される。また、ＳＩ１１７の出力信号は、番組情報記憶部１２にも出力されてここで保持される。
（第１の方法）
第１の方法は、番組のタイトル、番組内容から判断する方法である。視聴可否判定部１５は、番組情報解析部１４から当該番組のタイトルまたは番組内容を取得し、番組情報記憶部１２に保持されている全番組情報と比較する。番組情報記憶部１２に保持されている全番組情報の中に、当該番組と一致する番組が存在する場合は、視聴可能であると判断する。
（第２の方法）
第２の方法は、地域識別情報から判断する方法である。視聴可否判定部１５は、番組情報解析部１４から取得した当該番組の地域識別情報と、番組情報記憶部１２に保持されているディジタルテレビ放送携帯受信機１ａが受信可能な地域識別情報とを比較し、この二つの地域識別情報が一致している場合は、視聴可能であると判断する。
【００３３】
以上のように、本発明によれば、ユーザーが受信したメールに記載されたディジタルテレビ放送番組の中から視聴を希望する番組として、あるいは必要な番組として選択した番組（当該番組）が所持するディジタルテレビ放送携帯受信機で視聴することができない状態にあった場合に、その旨を通知する手段を設けることにより、視聴することができないにも関わらず当該番組を選局したりするなどの、不要な操作をせずに済ますことができるディジタルテレビ放送携帯受信機を提供することができる。
【００３４】
（実施の形態２）
本発明の実施の形態２におけるディジタルテレビ放送携帯受信機１ａにおいて、実行される動作のフローチャートを示した図６を参照しながら、ディジタルテレビ放送携帯受信機１ａが、メール作成装置１ｂが送信した番組情報メールを受信し、受信した番組情報メールに記述されている番組情報の中から選択した番組（当該番組）が、視聴可能であるか否かの判定結果に応じて当該番組に対して可能な操作を選択的に提示する動作について説明する。
【００３５】
なお、実施の形態２におけるディジタルテレビ放送携帯受信機は、実施の形態１におけるディジタルテレビ放送携帯受信機が有する手段に加えて、当該番組の視聴可否状態に応じて、当該番組に対して可能な操作情報を選択的に提示するための手段をさらに設けたものである。
【００３６】
図６において、ディジタルテレビ放送携帯受信機１ａのメール受信部１３は、メール作成装置１ｂが送信した番組情報メールを受信し、その受信した番組情報を番組情報解析部１４に送信する（ステップＳ２１）。番組情報解析部１４は、受信した番組情報を解析して番組情報の中から視聴を希望する番組として、あるいは必要な番組としてユーザーが選択した番組（当該番組）の番組情報を取得し、その取得した当該番組の番組情報を視聴可否判定部１５に送信する（ステップＳ２２）。視聴可否判定部１５は、番組情報記憶部１２が保持する番組情報と、番組情報解析部１４から送信された番組情報を基に、当該番組が放送中であるか否かを判定する（ステップＳ２３）。ステップＳ２３において放送中と判定された場合、視聴可否判定部１５は、「視聴」の操作を行うための操作ボタンを表示部１６に表示させる（ステップＳ２４）。ステップＳ２３において放送中でないと判定された場合、視聴可否判定部１５は、番組情報記憶部１２が保持する番組情報と、番組情報解析部１４から送信された番組情報を基に、当該番組が放送前であるか否かを判定する（ステップＳ２５）。ステップＳ２５において、放送前と判定された場合、視聴可否判定部１５は、「予約」の操作を行うための操作ボタンを表示部１６に表示させる（ステップＳ２６）。視聴可否判定部１５は、ステップＳ２３において放送中と判定された当該番組、あるいはステップ２６において放送前と判定された当該番組が、コピーガードなどの録画の制約上から録画が可能であるか否かを判定する（ステップＳ２７）。ステップＳ２７において、録画が可能と判定された場合、視聴可否判定部１５は、「録画」の操作を行うための操作ボタンを表示部１６に表示させる（ステップＳ２８）。
【００３７】
次に、本発明の実施の形態２におけるディジタルテレビ放送携帯受信機１ａにおいて受信した番組情報メールや、操作メニューなどが表示された表示画面の一例を示す図７を参照しながら、メール受信部１３で受信した番組情報メールやメッセージ生成部１９で生成されたメッセージ、あるいは操作メニューなどが表示部１６においてどのように表示されるかを説明する。
【００３８】
図７に示す表示例において、表示領域Ａ３１には、受信した番組情報メールに記述されているメッセージが表示され、表示領域Ａ３２には、ステップＳ２２において、視聴可否判定部１５が番組情報解析部１４から取得した番組情報を基にメッセージ生成部１９で作成させた定型メッセージが表示され、さらに、表示領域Ａ３３には、受信した番組情報メールの中の当該番組に対して実行可能な操作メニューが表示されており、図７に示された表示例では、「視聴」の操作以外に「予約」、「録画」などの操作が可能であることを示している。
【００３９】
なお、図６に示すフローチャートのステップＳ２３、ステップＳ２５およびステップＳ２７において、それぞれ放送中でない、放送前でない、録画可能でないと判定された場合、操作ボタンを非表示にする代わりに、選択不可能な状態を示す表示をしてもよい。
【００４０】
また、上記の実施の形態では、視聴可否判定部１５が、メッセージ生成部１９に指示してメッセージを生成させたり、表示部１６に指示してメッセージなどを表示させる構成について説明したが、ディジタルテレビ放送携帯受信機１ａが内蔵するマイクロコンピュータ（図示せず）が、視聴可否判定部１５に代わって、メッセージ生成部１９におけるメッセージの生成や、表示部１６における表示のコントロールなどをさせるように構成してもよい。
【００４１】
以上のように、本発明によれば、ユーザーが受信したメールに記載されたディジタルテレビ放送番組の中から視聴を希望する番組として、あるいは必要な番組として選択した番組（当該番組）の放送における状況に応じて、ユーザーに対して対応可能な操作の情報のみを提示することにより、ユーザーが放送時間や放送地域などを意識することなく、適切な操作が簡単にできるディジタルテレビ放送携帯受信機を提供することができる。
【産業上の利用可能性】
【００４２】
本発明に係るディジタルテレビ放送携帯受信機は、ユーザーが所在場所を移動しながら使用することを前提とし、メールを受信する機能を有する携帯型のディジタルテレビ放送受信機に有用である。
【図面の簡単な説明】
【００４３】
【図１】本発明の実施の形態１におけるディジタルテレビ放送携帯受信機１ａの構成を示すブロック図
【図２】本発明の実施の形態１におけるディジタルテレビ放送携帯受信機１ａにおいて実行される動作のフローチャート
【図３】本発明の実施の形態１におけるディジタルテレビ放送携帯受信機１ａにおいて受信した番組情報メールや、内部で生成されたメッセージなどが表示された表示画面の一例を示す図
【図４】本発明の実施の形態１におけるディジタルテレビ放送携帯受信機１ａにおいて受信した番組情報メールや、内部で生成されたメッセージおよび操作メニューなどが表示された表示画面の他の例を示す図
【図５】ディジタルテレビ放送携帯受信機１ａにおけるディジタルテレビ放送受信部１１の構成を示すブロック図
【図６】本発明の実施の形態２におけるディジタルテレビ放送携帯受信機１ａにおいて実行される動作のフローチャート
【図７】本発明の実施の形態２におけるディジタルテレビ放送携帯受信機１ａにおいて受信した番組情報メールや、操作メニューなどが表示された表示画面の一例を示す図
【符号の説明】
【００４４】
１ａ  ディジタルテレビ放送携帯受信機
１ｂ  メール作成装置
１ｃ  ディジタルテレビ放送受信機
１ｄ  ディジタルテレビ放送局
１１  ディジタルテレビ放送受信部
１２  番組情報記憶部
１３  メール受信部
１４  番組情報解析部
１５  視聴可否判定部
１６  表示部
１７  ディジタルテレビ放送受信機１ｃ制御部
１８  通信部
１９  メッセージ生成部
２０  スピーカ
１１１  ディジタルテレビ放送受信チューナ
１１２  ＴＳデコーダ
１１３  音声ＰＥＳ
１１４  映像ＰＥＳ
１１５  データセクション
１１６  ＰＳＩ
１１７  ＳＩ
【図１】
2006196953.tif 000003
【図２】
2006196953.tif 000004
【図３】
2006196953.tif 000005
【図４】
2006196953.tif 000006
【図５】
2006196953.tif 000007
【図６】
2006196953.tif 000008
【図７】
2006196953.tif 000009